(57)【要約】【課題】  硬くなった筋肉のこりをほぐして痛みを和らげることができるばかりか、内臓の機能を回復させて内臓の健康維持および疾病の治療効果を期待することができる皮膚接触式治療器を提供する。【解決手段】  皮膚を押圧する光触媒二酸化チタン製の押圧子５と、この押圧子５による押圧部位の周辺の皮膚７に接触する色付き生地４と、この色付き生地４を介して前記押圧部位の周辺の皮膚７に対向する酸化チタン粉末含有シート３とを備えている。そして、押圧子５を球体によって構成し、色付き生地４と酸化チタン粉末含有シート３とを環状に形成し前後に隣接して互いに接着し、後側に配置されている酸化チタン粉末含有シート３を接着基材１の貼着面１ａに接着するとともに、押圧子５を色付き生地４および酸化チタン粉末含有シート３の中心孔４ａ，３ａに配置して接着基材１の貼着面１ａに接着する。【選択図】        図１
0003111324.tif 000002
【実用新案登録請求の範囲】
【請求項１】
皮膚を押圧する光触媒二酸化チタン製の押圧子と、この押圧子による押圧部位の周辺の皮膚に接触する色付き生地とを備えていることを特徴とする皮膚接触式治療具。
【請求項２】
請求項１において、
前記色付き生地を介して前記押圧部位の周辺の皮膚に対向する酸化チタン粉末含有シートを備えていることを特徴とする皮膚接触式治療具。
【請求項３】
請求項１または請求項２において、
前記押圧子が球体によって構成され、前記色付き生地と酸化チタン粉末含有シートとが環状に形成されて前後に隣接して互いに接着されており、後側に配置されている酸化チタン粉末含有シートが接着基材の貼着面に接着されているとともに、前記押圧子が前記色付き生地および酸化チタン粉末含有シートの中心孔に配置されて前記接着基材の貼着面に接着されていることを特徴とする皮膚接触式治療具。
【考案の詳細な説明】
【技術分野】
【０００１】
本考案は、人体の皮膚表面の経穴（以下の説明では、ツボという）または痛みを有する部位などに接触させて、血行を促進して内臓の機能回復や筋肉や腱などの痛みの緩和を図る皮膚接触式治療具に関するものである。
【背景技術】
【０００２】
従来より、皮膚表面のツボまたは痛みを有する部位などに接触させて使用する皮膚接触式治療具として、図４，図５に示すものがある。この皮膚接触式治療具は、直径約２０ｍｍの接着基材１００の貼着面１００ａの中央部に、８０〜１８０ミリテスラの磁場の強さを有し、かつ直径約５ｍｍ、厚さ約２．５ｍｍの円盤状のフェライト磁石からなる押圧子１０１を接着するとともに、接着基材１００の貼着面１００ａに剥離紙１０２を貼着した構造のものである。
【０００３】
この種の皮膚接触式治療具は、押圧子１０１を接着したままで、剥離紙１０２から接着基材１００を取り外したのちに、図６に示すように、皮膚表面１０３のツボまたは痛みを有する部位に接着基材１００を貼着して、該接着基材１００を皮膚表面１０３に接触させるとともに、押圧子１０１によって皮膚を押圧するようにして使用される。
【０００４】
このように、皮膚接触式治療具を皮膚表面のツボまたは痛みを有する部位などに接触させると、循環している血液やリンパ液などに押圧子１０１の磁力が起電力として作用して電流を発生させて血液中のイオンを増加させる。その結果、自律神経の働きが変動して、血液やリンパ液などの流れがよくなる。このような血流促進作用と、押圧子１０１が皮膚表面を局部的に押圧することによって生じる指圧同等の押圧作用との相乗効果によって、筋肉の緊張・硬化および筋肉組織内の血管の圧迫に伴う血行不良や疲労物質（たとえば血液中の乳酸）の蓄積を緩和して、硬くなった筋肉をほぐして痛みを和らげる効果、つまり、こりをほぐして痛みを和らげる効果を得ることができる。
内臓の機能回復
【０００５】
しかし、前記従来の皮膚接触式治療具は、押圧子１０１の磁力と指圧同等の押圧作用との相乗効果によって、硬くなった筋肉のこりをほぐして痛みを和らげるものにしか過ぎず、内臓の機能を回復させて内臓の健康維持および疾病の治療効果を期待することができない。
【考案の開示】
【考案が解決しようとする課題】
【０００６】
解決しようとする問題点は、硬くなった筋肉のこりをほぐして痛みを和らげることができるばかりか、内臓の機能を回復させて内臓の健康維持および疾病の治療効果を期待することができる皮膚接触式治療具を提供することである。
【課題を解決するための手段】
【０００７】
前記目的を達成するために、本考案に係る皮膚接触式治療具は、皮膚を押圧する光触媒二酸化チタン製の押圧子と、この押圧子による押圧部位の周辺の皮膚に接触する色付き生地とを備えていることを特徴とするものでる。
【考案の効果】
【０００８】
本考案は、皮膚表面のツボおよびその周辺の痛みを有する部位に色付き生地を接触させるとともに、光触媒二酸化チタン製の押圧子によってツボを押圧するようにして使用する。
色付き生地は、様々な色彩固有の波動（振動エネルギー）を発生させて、自律神経に作用してツボおよびその周辺の痛みを有する部位の血液やリンパ液などの流れをよくするように働く。また、光触媒二酸化チタン製の押圧子が皮膚表面を局部的に押圧することによって指圧効果が得られるとともに、押圧子の構成成分である光触媒二酸化チタンによる遠赤外線効果、イオン効果、皮膚表面温度の上昇効果などの複合効果が加味されることによって、筋肉の緊張・硬化および筋肉組織内の血管の圧迫に伴う血行不良や疲労物質（たとえば血液中の乳酸）の蓄積を緩和して、硬くなった筋肉のこりをほぐして痛みを和らげる作用が得られる。すなわち、色付き生地によって得られるツボおよびその周辺の痛みを有する部位の血流促進作用と、光触媒二酸化チタン製の押圧子によって得られる指圧作用との複合作用によって、硬くなった筋肉のこりを強力にほぐして痛みを和らげることができる。
【０００９】
このような複合作用が得られる皮膚接触式治療具であれば、個々の内臓に各別に対応する経絡上のツボを選択して、このツボに色付き生地を接触させるとともに、該ツボを光触媒二酸化チタン製の押圧子によって押圧するようにして使用することで、内臓の機能を回復させて内臓の健康維持および疾病の治療効果を期待することができる。
【００１０】
このため、さらに個々の内臓に応じた色彩を有する色付き生地を選択して、これを個々の内臓に応じた経絡上のツボに接触させることで、個々の内臓の機能を回復させて内臓の健康維持および疾病の治療を適正に行うことができる。様々な色彩は、色彩固有の波動を発生させて、自律神経に作用してツボおよびその周辺の痛みを有する部位の血液やリンパ液などの流れをよくするように働くからである。前述した個々の内臓の健康維持および疾病の治療を行うのに好適な波動を発生させる色彩を特定することができる。
【考案を実施するための最良の形態】
【００１１】
本考案においては、前記色付き生地を介して前記押圧部位の周辺の皮膚に対向する酸化チタン粉末含有シートを備えていることが好ましい。
【００１２】
これによると、ツボおよびその周辺の痛みを有する部位の皮膚には、色付き生地を介して酸化チタン粉末含有シートの酸化チタン成分が作用して、遠赤外線効果、イオン効果、皮膚表面温度の上昇効果などを発揮して血液やリンパ液などの流れをよくする。つまり、色付き生地と酸化チタン粉末含有シートとの両者によってツボおよびその周辺の痛みを有する部位の血流促進作用が得られる。
【００１３】
また、本考案においては、前記押圧子が球体によって構成され、前記色付き生地と酸化チタン粉末含有シートとが環状に形成されて前後に隣接して互いに接着されており、後側に配置されている酸化チタン粉末含有シートが接着基材の貼着面に接着されているとともに、前記押圧子が前記色付き生地および酸化チタン粉末含有シートの中心孔に配置されて前記接着基材の貼着面に接着されていることが好ましい。
【００１４】
このように、接着基材の貼着面に環状の酸化チタン粉末含有シートが接着され、該環状の酸化チタン粉末含有シートの前側に隣接して環状の色付き生地が接着されるとともに、球体によって構成されている押圧子が色付き生地および酸化チタン粉末含有シートの中心孔に配置されて接着基材の貼着面に接着されているので、皮膚表面のツボまたは痛みを有する部位あるいは個々の内臓に各別に対応する経絡上のツボに対応して接着基材を貼着して、該接着基材を皮膚表面に接触させることによって、前記皮膚表面のツボまたは痛みを有する部位あるいは経絡上のツボを球体によって構成した押圧子によって痛みを感じさせることなく押圧して指圧効果を高めることができる。同時に、色付き生地を位置ずれすることなく前記皮膚表面のツボまたは痛みを有する部位あるいは経絡上のツボに接触させて、色付き生地と酸化チタン粉末含有シートとの両者によって皮膚表面のツボまたは痛みを有する部位あるいは経絡上のツボの血流を促進して、硬くなった筋肉のこりをほぐして痛みを和らげることができるばかりか、内臓の機能を回復させて内臓の健康維持および疾病の治療を図ることができる。
【実施例１】
【００１５】
以下、本考案に係る皮膚接触式治療具の実施例を図面にしたがって説明する。
図１は、本考案に係る皮膚接触式治療具の実施例を示す断面図、図２は剥離紙を除いた部材を分解して示す斜視図である。
【００１６】
図１および図２において、皮膚接触式治療具は、接着基材１、酸化チタン粉末含有シート３、色付き生地４、押圧子５および剥離紙６を備えている。なお、本治療具は、接着基材１と酸化チタン粉末含有シート３との間に、他のシート２を介挿することを妨げない。
【００１７】
接着基材１は直径約２５ｍｍの円形のもので、その貼着面１ａの中央部には、直径約１５ｍｍで直径約４ｍｍの中心孔２ａを設けて環状に形成された他のシート２が貼着されている。そして、他のシート２の貼着面２ｂには、直径約１５ｍｍで直径約４ｍｍの中心孔３ａを設けて環状に形成されて、酸化チタン粉末をコーティングしたスポンジのような弾性材料からなる酸化チタン粉末含有シート３が同心に貼着されており、該酸化チタン粉末含有シート３の貼着面３ｂには、直径約１５ｍｍで直径約４ｍｍの中心孔４ａを設けて環状に形成されているとともに、所定の色彩に染色された色付き生地４を同心に貼着してある。これによって同心で連続する他のシート２の中心孔２ａと、酸化チタン粉末含有シート３の中心孔３ａおよび色付き生地４の中心孔４ａには、直径約３ｍｍの光触媒二酸化チタン製の球体によって構成された押圧子５を色付き生地４の中心孔４ａ側から嵌め込んで、その下端部を円形接着基材１の貼着面１ａの中心部に接着させ、かつ、上端部側を色付き生地４より上方に突出させるとともに、剥離紙６の剥離面６ａに接着基材１の貼着面１ａを貼着させた構造で販売される。
【００１８】
前記構成の皮膚接触式治療具は、図３に示すように、皮膚７表面のツボおよびその周辺の痛みを有する部位に色付き生地４を接触させるとともに、光触媒二酸化チタン製の押圧子５によってツボを押圧するようにして使用する。
【００１９】
色付き生地４は、様々な色彩固有の波動（振動エネルギー）を発生させて、自律神経に作用してツボおよびその周辺の痛みを有する部位の血液やリンパ液などの流れをよくするように働く。また、ツボおよびその周辺の痛みを有する部位の皮膚には、色付き生地４を介して酸化チタン粉末含有シート３の酸化チタン成分が作用して、遠赤外線効果、イオン効果、皮膚表面温度の上昇効果などを発揮して血液やリンパ液などの流れをよくする。つまり、色付き生地４と酸化チタン粉末含有シート３との両者によってツボおよびその周辺の痛みを有する部位の血流促進作用が得られる。
【００２０】
一方、光触媒二酸化チタン製の押圧子５が皮膚７表面を局部的に押圧することによって指圧効果が得られるとともに、押圧子５の構成成分である光触媒二酸化チタンによる遠赤外線効果、イオン効果、皮膚表面温度の上昇効果などの複合効果が加味されることによって、筋肉の緊張・硬化および筋肉組織内の血管の圧迫に伴う血行不良や疲労物質（たとえば血液中の乳酸）の蓄積を緩和して、硬くなった筋肉のこりをほぐして痛みを和らげる作用が得られる。
【００２１】
すなわち、本考案に係る皮膚接触式治療具によれば、色付き生地４と酸化チタン粉末含有シート３との両者によって得られるツボおよびその周辺の痛みを有する部位の血流促進作用と、光触媒二酸化チタン製の押圧子５によって得られる指圧作用との複合作用によって、硬くなった筋肉のこりを強力にほぐして痛みを和らげることができる。
【００２２】
このような複合作用が得られる皮膚接触式治療具であれば、心臓、肺臓、胃腸、肝臓、胆嚢などの個々の内臓に各別に対応する経絡上のツボを選択して、このツボに色付き生地４を接触させるとともに、該ツボを光触媒二酸化チタン製の押圧子５によって押圧するようにして使用することで、前記内臓の機能を回復させて内臓の健康維持および疾病の治療効果を期待することができる。
【００２３】
因みに、青、赤、黄、白、黒、緑、紫などの色彩は、これら色彩固有の波動を発生させて、自律神経に作用してツボおよびその周辺の痛みを有する部位の血液やリンパ液などの流れをよくするように働くので、前述した個々の内臓の健康維持および疾病の治療を行うのに好適な波動を発生させる色彩を特定することができる。このため、個々の内臓に応じた色彩を有する色付き生地４を選択して、これを個々の内臓に応じた経絡上のツボに接触させることで、個々の内臓の機能を回復させて内臓の健康維持および疾病の治療を適正に行うことができる。
【００２４】
前記青、赤、黄、白、黒、緑、紫などの色彩と内臓との関係およびこれらの色彩が自律神経におよぼす影響を図７に示す。
【００２５】
前記図７によって、青色の色付き生地４は胆嚢と肝臓、赤色の色付き生地４は小腸と心臓、黄色の色付き生地４は胃と脾臓、白色の色付き生地４は大腸と肺臓、黒色の色付き生地４は膀胱と腎臓、緑色の色付き生地４は三焦と心包、紫色の色付き生地４は膵臓に応じて、これらの経絡上のツボに接触させることで、個々の内臓の機能を回復させて内臓の健康維持および疾病の治療を図れることが判る。
【００２６】
このように、本考案に係る皮膚接触式治療具は、接着基材１の貼着面１ａに環状の他のシート２が接着され、該他のシート２の前側に隣接して環状の酸化チタン粉末含有シート３が接着され、この環状の酸化チタン粉末含有シート３の前側に隣接して環状の色付き生地４が接着されるとともに、光触媒二酸化チタン製の球体によって構成されている押圧子５が他のシート２、色付き生地４および酸化チタン粉末含有シート３の中心孔２ａ，３ａ，４ａに配置されて接着基材１の貼着面１ａに接着されているので、皮膚７表面のツボまたは痛みを有する部位あるいは個々の内臓に各別に対応する経絡上のツボに対応して接着基材１を貼着して、該接着基材１を皮膚表面に接触させることによって、前記皮膚７表面のツボまたは痛みを有する部位あるいは経絡上のツボを球体によって構成した押圧子５によって痛みを感じさせることなく押圧して指圧効果を高めることができる。
【００２７】
同時に、色付き生地４を位置ずれすることなく前記皮膚７表面のツボまたは痛みを有する部位あるいは経絡上のツボに接触させて、色付き生地４と酸化チタン粉末含有シート３および他のシート２によって皮膚７表面のツボまたは痛みを有する部位あるいは経絡上のツボの血流を促進して、硬くなった筋肉のこりをほぐして痛みを和らげることができるばかりか、内臓の機能を回復させて内臓の健康維持および疾病の治療を図ることができる。
【図面の簡単な説明】
【００２８】
【図１】本考案に係る皮膚接触式治療具の一実施例を示す断面図である。
【図２】剥離紙を除いた部材を分解して示す斜視図である。
【図３】本考案に係る皮膚接触式治療具の使用例を示す断面図である。
【図４】従来例の剥離紙を除いた部材を示す斜視図である。
【図５】従来例を示す断面図である。
【図６】従来例の使用状態を示す断面図である。
【図７】色彩と内臓との関係および色彩が自律神経におよぼす影響を示す図表である。
【符号の説明】
【００２９】
１：接着基材
１ａ：接着基材の貼着面
３：酸化チタン粉末含有シート
３ａ：酸化チタン粉末含有シートの貼着面
４：色付き生地
４ａ：色付き生地の貼着面
５：光触媒二酸化チタン製の押圧子
７：皮膚
【図１】
0003111324.tif 000003
【図２】
0003111324.tif 000004
【図３】
0003111324.tif 000005
【図４】
0003111324.tif 000006
【図５】
0003111324.tif 000007
【図６】
0003111324.tif 000008
【図７】
0003111324.tif 000009